(57)【特許請求の範囲】
【請求項１】
符号分割多重方式を用いて複数の基地局から送信されるスペクトラム拡散信号を受信し、受信した上記スペクトラム拡散信号から上記基地局が送出したパイロツト信号を検出し、当該検出したパイロツト信号に応じたタイミングをそれぞれ継続的に複数の復調器に割り当てるパイロツト信号検出方法において、
割り当てられた上記タイミングに対してロツク外れを生じた上記復調器がある場合に、当該復調器で用いていた上記パイロツト信号に応じたタイミングと、当該復調器以外の復調器で用いている上記パイロツト信号に応じたタイミングとを上記ロツク外れを生じた復調器に新たに割り当てる上記タイミングの割当て対象から除外し、
当該タイミングの割当て対象から、復調可能な上記パイロツト信号のタイミングを上記ロツク外れを生じた復調器に割り当てる
ことを特徴とするパイロツト信号検出方法。
【請求項２】
符号分割多重方式を用いて複数の基地局から送信されるスペクトラム拡散信号を受信し、受信した上記スペクトラム拡散信号から上記基地局が送出したパイロツト信号を検出し、当該検出したパイロツト信号に応じたタイミングをそれぞれ継続的に複数の復調器に割り当てるパイロツト信号検出装置において、
割り当てられた上記タイミングに対してロツク外れを生じた上記復調器の有無を検出するロツク検出手段と、
上記ロツク外れを生じた復調器で用いていた上記タイミングと、当該ロツク外れを生じた復調器以外の復調器で用いている上記タイミングとを上記ロツク外れを生じた復調器に新たに割り当てる上記タイミングの割当て対象から除外し、当該タイミングの割当て対象から復調可能な上記パイロツト信号を選択するパイロツト信号選択手段と、
上記選択されたパイロツト信号に応じたタイミングを上記ロツク外れを生じた復調器に割り当てるタイミング割当て手段と
を具えることを特徴とするパイロツト信号検出装置。
【請求項３】
符号分割多重方式を用いて複数の基地局から送信されるスペクトラム拡散信号を受信する受信手段と、当該受信手段により受信した上記スペクトラム拡散信号から上記基地局が送出したパイロツト信号を検出するパイロツト信号検出手段と、当該検出したパイロツト信号に基づいて、受信した上記スペクトラム拡散信号を継続的に復調する復調手段とを設けてなる受信装置において、
上記パイロツト信号検出手段は、
割り当てられた上記タイミングに対してロツク外れを生じた上記復調器の有無を検出するロツク検出手段と、
上記ロツク外れを生じた復調器で用いていた上記タイミングと、当該ロツク外れを生じた復調器以外の復調器で用いている上記タイミングとを上記ロツク外れを生じた復調器に新たに割り当てる上記タイミングの割当て対象から除外し、当該タイミングの割当て対象から復調可能な上記パイロツト信号を選択するパイロツト信号選択手段と、
上記選択されたパイロツト信号に応じたタイミングを上記ロツク外れを生じた復調器に割り当てるタイミング割当て手段と
を具えることを特徴とする受信装置。
【発明の詳細な説明】
【０００１】
【目次】
以下の順序で本発明を説明する。
発明の属する技術分野
従来の技術
発明が解決しようとする課題
課題を解決するための手段
発明の実施の形態（図１〜図３）
発明の効果
【０００２】
【発明の属する技術分野】
本発明はパイロツト信号検出方法、パイロツト信号検出装置及び受信装置に関し、例えば符号分割多重方式を用いた移動通信システムに適用して好適なものである。
【０００３】
【従来の技術】
従来、ＣＤＭＡ（Ｃｏｄｅ  Ｄｉｖｉｓｉｏｎ  Ｍｕｌｔｉｐｌｅ  Ａｃｃｅｓｓ  ：符号分割多重）方式においては、各回線毎に割り当てた特定の符号（以下、これをＰＮ（Ｐｓｅｕｄｏ  ｒａｎｄｏｍ  Ｎｏｉｓｅ  ｓｅｑｕｅｎｃｅ）符号と呼ぶ）を用いて同一搬送周波数の変調波を元の周波数帯域より広い帯域に拡散（以下、これをスペクトラム拡散と呼ぶ）すると共にスペクトラム拡散処理を施した各変調波を多重化して送信する。また、受信したスペクトラム拡散信号と復調対象の回線を介して与えられるＰＮ符号との同期をとることにより、所望の回線のみを識別する。
【０００４】
すなわち送信側は、まず各回線毎に異なるＰＮ符号を割り当てる。ここでＰＮ符号は、擬似的な乱数系列符号でなる。送信側はこれらの各回線を介して送信する各変調波に異なる各ＰＮ符号をそれぞれ掛け合わせてスペクトラム拡散させる。因みに、各変調波はスペクトラム拡散処理される以前に所定の変調処理を施されている。こうしてスペクトラム拡散された各変調波は、多重化されて送信される。
次に受信側では送信側から伝送されてきた受信信号に、復調対象となる回線で割り当てられたものと同一のＰＮ符号を同期させながら掛け合わせる。こうして目的の回線を介して伝送された変調波のみを復調する。
【０００５】
このようにＣＤＭＡ方式では、送信側と受信側とで互いに同一のＰＮ符号を設定しておきさえすれば、直接、呼毎に通信することができる。またＣＤＭＡ方式は各回線毎にそれぞれ異なるＰＮ符号を用いて変調波をスペクトラム拡散処理するため、受信側では復調対象の回線を介して伝送されたスペクトラム拡散信号しか復調し得ず、さらにＰＮ符号が擬似的な乱数系列符号でなるために秘匿性にすぐれていると言える。
【０００６】
またＣＤＭＡ方式を用いた移動通信システムにおいて、送信側の基地局は移動局側の同期獲得、維持、クロツク再生のためにＰＮ符号を繰り返し送信する（以下、これをパイロツト信号と呼ぶ）。受信側の移動局は複数の基地局が送信する各パイロツト信号を検出して、検出されたタイミングをそれぞれ復調器に割り当てる。ここで移動局では復調器内でＰＮ符号を生成している。復調器はこのＰＮ符号を割り当てられたタイミングで、目的の基地局から伝送されてくるスペクトラム拡散信号に掛け合わせることにより復調する。
【０００７】
すなわちＣＤＭＡ方式を用いた移動通信システムにおいては、各基地局はそれぞれ異なるタイミングのＰＮ符号をパイロツト信号として送出している。移動局側では目的の基地局から供給されるパイロツト信号のタイミングを検出し、復調器内で生成したＰＮ符号をこのタイミングに同期させることにより、目的の基地局から送信されたスペクトラム拡散信号のみを正しく復調することができる。
【０００８】
なおここで各基地局がそれぞれ異なるタイミングのＰＮ符号を送信していることは述べたが、ＰＮ符号自体は同一の符号パターンでなる。すなわち、各基地局毎に異なるパイロツト信号のタイミング差が、そのままＰＮ符号の違いに相当している。
【０００９】
【発明が解決しようとする課題】
ところで、上述したようなパイロツト信号は移動局が移動したり、受信している外部環境が変化することにより受信されるタイミングにずれを生じる場合がある。このため、復調器に割り当てたＰＮ符号のタイミングとパイロツト信号によるタイミングとの同期にずれが生じてしまう。通常は、ずれを生じたタイミングに追尾して復調器内で生成するＰＮ符号のタイミングを変化させることでタイミングのずれを相殺している。
【００１０】
しかしずれによるタイミングの変動が相殺能力より大きい場合、タイミングのずれのために受信信号を正常に復調できなくなる（いわゆるロツク外れ）。こうした場合、移動局側ではロツク外れを生じた復調器に新たなタイミングを割り当てる。この際、新たなタイミングとして受信レベルの高いパイロツト信号のタイミングが割り当てられるようになされている。従つて、ロツク外れを生じた復調器で用いていたパイロツト信号のタイミングを再度割り当ててしまう可能性が高い。このように再度同一のタイミングを復調器に割り当てた場合、移動局が待機状態であるならば何度かタイミングの割り当てを繰り返すうちに上述したパイロツト信号を捕まえることができる。
【００１１】
しかし、例えば移動局が基地局の通話エリアの境界付近に居て通話を行う場合のように、パイロツト信号の受信レベルが低下して検出不可能になるためにロツク外れを生じる場合がある。このような場合、一度ロツク外れを生じたパイロツト信号のタイミングを再度復調器に割り当てても、移動局の外部環境が大きく変化しない限り受信レベルそのものが低下したままであるため、再度同様のロツク外れを生じる可能性が高い。その結果、ロツク外れ、パイロツト信号の検出、復調器へのタイミングの再割り当てという行程を繰り返す状態（いわゆるピンポン状態）に陥つてしまう。
このため、移動局側のパイロツト信号処理の負荷が大きくなり通信品質に劣化を生じるという問題が起こる。
【００１２】
このような問題を回避して通話中の通信品質を維持するためには、ロツク外れを生じた復調器に、直ちに復調可能でかつ安定した強度レベルでなるパイロツト信号のタイミングを割り当てることが必要である。
【００１３】
本発明は以上の点を考慮してなされたもので、パイロツト信号の受信レベルの低下によるロツク外れを生じ易い環境下での通信品質の劣化を防止し得るパイロツト信号検出方法、パイロツト信号検出装置及び受信装置を提案しようとするものである。
【００１４】
【課題を解決するための手段】
かかる課題を解決するため本発明においては、割り当てられたタイミングに対してロツク外れを生じた復調器がある場合に、この復調器及びこの復調器以外の復調器で用いていたタイミングを除外したタイミングの割当て対象から、復調可能なパイロツト信号のタイミングをロツク外れを生じた復調器に新たに割り当てるようにした。
【００１５】
既に装置内の各復調器で用いているパイロツト信号に応じたタイミングを割当て対象から除外して、この割当て対象から復調可能なパイロツト信号のタイミングを選択してロツク外れを生じた復調器に新たに割り当てるようにしたことにより、再度のロツク外れを防止してパイロツト信号の検出及び復調器へのタイミング割り当ての繰り返し状態に陥ることを回避することができる。
【００１６】
【発明の実施の形態】
以下図面について、本発明の一実施例を詳述する。
【００１７】
図１において、１は全体として移動端末装置を示し、ＣＤＭＡ（Ｃｏｄｅ  Ｄｉｖｉｓｉｏｎ  Ｍｕｌｔｉｐｌｅ  Ａｃｃｅｓｓ  ：符号分割多重）方式を用いて複数の基地局から送信される信号を受信する。すなわち各基地局はそれぞれ異なるタイミングのＰＮ（Ｐｓｅｕｄｏ  ｒａｎｄｏｍ  Ｎｏｉｓｅ  ｓｅｑｕｅｎｃｅ）符号を掛け合わせてスペクトラム拡散させた送信データを送信する。移動端末装置１は、こうして各基地局から送信される送信データを受信し、受信した信号に含まれているパイロツト信号のタイミングを用いて受信信号を復調するようになされている。これにより、移動端末装置１は復調対象となる基地局から受信した受信信号のみを復調することができる。なお、パイロツト信号とは、送信側の基地局が送信する各々異なるタイミングのＰＮ符号の繰り返しパターン信号でなり、移動局側の同期獲得、維持、クロツク再生のために用いられる。
【００１８】
移動端末装置１はアンテナ２で受信した受信信号Ｓ１をアンテナ共用器３、高周波増幅器４及び直交検波回路５を順次介してベースバンド信号Ｓ２に変換し、得られたベースバンド信号Ｓ２をＡ／Ｄ変換して（図示せず）受信装置６に供給する。
受信装置６は供給されたベースバンド信号Ｓ２を復調器７、８、９及びタイミング制御器１０に入力する。タイミング制御器１０は基地局が送信するパイロツト信号をベースバンド信号Ｓ２から検出する。またタイミング制御器１０はこうして検出したパイロツト信号に基づくタイミングを復調器７、８及び９に割り当てる（図示せず）。復調器７、８及び９はそれぞれ割り当てられたタイミングでベースバンド信号Ｓ２を復調し、各々得られた復調信号Ｓ３、Ｓ４、Ｓ５を合成器１１に送出する。
【００１９】
具体的には、各復調器７、８及び９でそれぞれＰＮ符号を生成しており、このＰＮ符号を上述したタイミングでベースバンド信号Ｓ２に掛け合わせることにより復調を行う。各基地局ではＰＮ符号のタイミングをそれぞれ基地局毎の固有のタイミングで送信している。従つて、パイロツト信号に示されるタイミングにＰＮ符号を同期させ、この同期したＰＮ符号を用いてベースバンド信号Ｓ２を復調することにより、復調対象の基地局から送信された信号のみを選択的に復調することができる。なお、このようにパイロツト信号に示されるタイミングに復調器内で生成したＰＮ符号のタイミングを同期させることをロツクと呼ぶ。
【００２０】
ここで復調器７、８及び９は、供給されるベースバンド信号Ｓ２をそれぞれ異なるタイミングのＰＮ符号を用いて復調している。すなわち、基地局から送信される信号は一定の伝播経路長でなる伝送路のみを介して受信されるものばかりでは無く、建物等の障害物に反射する等して各々異なる経路長の伝送路を介して受信されるものもある。このような複数の伝送路を介して受信される複数の反射波を、マルチパスと呼ぶ。実際上、マルチパスが一般的に存在するため、受信装置６は複数の復調器７、８及び９を設けてパスの数又は受信可能な基地局の数に応じて動作させている。この場合、３つの経路の伝送路を介して（すなわちタイミングのみが異なつた状態で）受信される受信信号Ｓ１をそれぞれ復調器７、８又は９で復調させるようになされている。
【００２１】
合成器１１はこのようなマルチパスから得られた復調信号Ｓ３、Ｓ４、Ｓ５を入力して合成する。この際、復調信号Ｓ３、Ｓ４、Ｓ５がそれぞれ異なるタイミングで復調されているため、合成器１１は復調信号Ｓ３、Ｓ４、Ｓ５のタイミングを同期させた上で合成する。合成器１１は、このように復調信号Ｓ３、Ｓ４、Ｓ５を合成することにより、対雑音及び対妨害比の大きな受信データＳ６を生成することができ、こうして得られた受信データＳ６を出力している。
【００２２】
因みに移動端末装置１は送信系の回路も有しており、送信データＳ７を変調部１２に供給してスペクトラム拡散処理及びオフセツトＱＰＳＫ（Ｑｕａｄｒａｔｕｒｅ  Ｐｈａｓｅ  Ｓｈｉｆｔ  Ｋｅｙｉｎｇ  ：４相位相変調）処理を施す。移動端末装置１はこうして変調部１２で生成した変調信号Ｓ８を高周波増幅器１３で増幅させて、アンテナ共用器３及びアンテナ２を順次介して放射送信する。
【００２３】
また図１との対応部分に同一符号を付して示す図２において、６は受信装置を示し又１０は全体としてタイミング制御器を示す。
図１に示したように、移動端末装置１で受信された受信信号Ｓ１がアンテナ共用器３、高周波増幅器４及び直交検波回路５を順次介してベースバンド信号Ｓ２に変換され、さらにＡ／Ｄ変換されて受信装置６に供給される。受信装置６は供給されたベースバンド信号Ｓ２を復調器７、８、９及びタイミング制御器１０に入力する。
【００２４】
ここで図２に示すように、こうしてタイミング制御器１０に入力されたベースバンド信号Ｓ２は、まずタイミング検出器１４に与えられる。タイミング検出器１４はベースバンド信号Ｓ２に多重化されて含まれているパイロツト信号を検出して、検出したパイロツト信号に応じたタイミングを得る。この際、タイミング検出器１４は受信レベルが高く、復調可能なパイロツト信号のタイミングを複数検出するようになされている。次に、タイミング検出器１４は検出した複数のタイミングを示すタイミング情報Ｓ９をタイミング選択器１５に供給して蓄積させる。タイミング選択器１５は、このようにして複数のタイミング候補を蓄積している。
【００２５】
続いて、タイミング割当器１６はタイミング選択器１５に蓄積されているタイミング情報Ｓ９を読み出して、タイミング情報Ｓ９に表されている複数のタイミング候補から受信レベルの高い順に、復調可能な復調器７、８及び９へそれぞれタイミングを割り当てる。ここで上述したように移動端末装置１の出力である受信データＳ６は、受信信号Ｓ１を各復調器が復調して得られる復調信号Ｓ３、Ｓ４、Ｓ５を合成器１１で合成して得られる。従つて、このように各復調器に異なるタイミングを割り当てて復調させることにより、全ての復調器が同時にロツク外れを起こすような状態にならない限り継続して受信データＳ６を得ることができる。
【００２６】
またこうしてタイミングを割り当てられる復調器７、８及び９には各々ロツク外れを検出するロツク検出器７Ａ、８Ａ及び９Ａが設けられている。復調器７、８及び９は割り当てられたタイミングに基づいてベースバンド信号Ｓ２を復調し、復調信号Ｓ３、Ｓ４及びＳ５を生成する。また復調器７、８及び９はロツク検出器７Ａ、８Ａ及び９Ａによつて、割り当てられたタイミングのロツクが外れていないか否かを所定時間毎に検出している。これによりロツク外れが検出された復調器７、８又は９からは検出信号Ｓ１０、Ｓ１１又はＳ１２が送出されてタイミング選択器１５及び合成器１１に通知される。
【００２７】
ここで具体的には、各ロツク検出器７Ａ、８Ａ及び９Ａには予め所定の受信レベルが設定されている。このような各ロツク検出器７Ａ、８Ａ及び９Ａは、復調器７、８及び９に供給されるベースバンド信号Ｓ２に含まれたパイロツト信号の受信レベルを検出し、検出された受信レベルが設定された値以下の場合に「ロツク外れを生じた」とみなすようになされている。
【００２８】
タイミング選択器１５は、ロツク検出器７Ａ、８Ａ及び９Ａからの通知によつてタイミング割当器１６にタイミング情報Ｓ９を再度読み出させる。タイミング割当器１６は、読み出したタイミング情報Ｓ９に表されているタイミング候補から、ロツク外れを生じた復調器に新たなタイミングを割り当てる。
ここでタイミング割当器１６は、移動端末装置１が複数の基地局からの受信信号Ｓ１を受信している場合、ロツク外れを生じた復調器７、８又は９で用いられていたタイミングはもちろんのこと、それ以外の復調器で用いられているタイミングをも除外したタイミング候補の中から新たなタイミングを選択して、ロツク外れを生じた復調器７、８又は９に割り当てる。
また合成器１１は、ロツク検出器７Ａ、８Ａ及び９Ａからの通知によつてロツク外れを生じた復調器が有る場合、これを除外した残りの復調器から出力される復調信号のみを合成して受信データＳ６を生成する。
【００２９】
このように移動端末装置１及び受信装置６は復調器７、８又は９にロツク外れが生じた場合、ロツク外れを生じた復調器にタイミング制御器１０によつて新たなタイミングを直ちに割り当てさせることにより継続的に受信信号を復調することができる。またロツク外れを生じた復調器及びそれ以外の復調器で用いられているタイミングを除外したタイミング候補の中から新たなタイミングを選択して、ロツク外れを生じた復調器に新たに割り当てることにより、安定した通信品質を維持することができる。
【００３０】
以上の構成において、移動端末装置１及び受信装置６は以下に説明する手順により、各復調器７、８又は９に割り当てたタイミングのロツク外れを検出し、ロツク外れを生じた復調器に割り当てる新たなタイミングを選択するようになされている。なお、ロツク外れを生じていない復調器はそのまま復調を続行する。また以下に説明する手順は受信フレーム毎に行われるようになされている。
【００３１】
図３に示すように、ステツプＳＰ１で手順を開始して、まずステツプＳＰ２で、各復調器７、８又は９でロツク外れを生じたか否かを検出する。ロツク外れを生じた復調器が無い場合はステツプＳＰ７にジヤンプして手順を終了する。ロツク外れを生じた復調器が検出された場合は次のステツプに進む。次にステツプＳＰ３で、異なるタイミングを復調対象としているか否かを検出する。
すなわち移動端末装置１が基地局の境界付近、すなわち他の基地局から送信される信号を受信し得る領域（いわゆるソフトハンドオフ領域）で信号を受信する場合、移動端末装置１は各基地局から送信される信号を受信して、各々の基地局のパイロツト信号に基づく異なるタイミングで各受信信号を復調している。移動端末装置１はステツプＳＰ３で、このような受信状況にあるか否かを検出している。
ステツプＳＰ３で、単一の基地局から送信される信号のみを復調対象としている場合はステツプＳＰ５にジヤンプし、複数の基地局から送信される信号を復調対象としている場合は次のステツプに進む。
【００３２】
次にステツプＳＰ４で、ロツク外れを生じた復調器で用いていたタイミングを新たに割り当てるタイミング候補から除外する。すなわちソフトハンドオフ領域にいる場合はパイロツト信号の受信レベルが低下しているため、一度ロツク外れを生じた復調器で用いていたタイミングを再度割り当てても、再び同様のロツク外れを生じる可能性が高い。従つてロツク外れを生じた復調器で用いていたタイミングを新たに割り当てるタイミング候補から除外することにより、再度のロツク外れを回避することができる。
【００３３】
続いてステツプＳＰ５で、ロツク外れを生じた復調器以外の復調器で用いているタイミングを新たに割り当てるタイミング候補から除外する。例えば復調器７でロツク外れを生じた場合、復調器８及び９で用いているタイミングは割当て候補から除外する。なぜなら複数の復調器で同一のタイミングを用いて復調を行うと、これら複数の復調器全てが同時にロツク外れしてしまうおそれがあるためである。従つてロツク外れを生じた復調器以外の復調器で用いているタイミングを新たに割り当てるタイミング候補から除外することにより、複数の復調器でのロツク外れの同時発生を回避することができる。
次にステツプＳＰ６で、こうして除外したもの以外のタイミング候補から新たなタイミングを選択してロツク外れを生じた復調器に割り当てる。この際、タイミング候補の中から受信レベルの高い順に選択して割り当てる。こうして新たなタイミング割当てが完了したら、ステツプＳＰ７で手順を完了する。
【００３４】
このように移動端末装置１及び受信装置６は、ソフトハンドオフ領域での受信中に復調器７、８又は９でロツクを生じた場合に、既に各復調器７、８及び９で用いているタイミングを除外したタイミング候補から復調可能なパイロツト信号のタイミングを選択し、このタイミングをロツク外れを生じた復調器に新たに割り当てるようにしたことにより、再度のロツク外れを防止して、パイロツト信号の検出及び復調器へのタイミング割り当ての繰り返し状態に陥ることを回避することができる。
【００３５】
以上の構成によれば、割り当てられたタイミングに対してロツク外れを生じた復調器７、８又は９が検出された場合に、各復調器で用いていたパイロツト信号に応じたタイミングをロツク外れを生じた復調器に新たに割り当てるタイミングの割当て対象から除外して、この割当て対象から選択した復調可能なパイロツト信号のタイミングをロツク外れを生じた復調器に割り当てることにより、再度のロツク外れを防止してパイロツト信号の検出及び復調器へのタイミング割り当ての繰り返し状態に陥ることを回避することができる。かくしてソフトハンドオフ領域のようなパイロツト信号の受信レベルの低下によるロツク外れを生じ易い環境下での通信品質の劣化を防止し得る移動端末装置１及び受信装置６を実現することができる。
【００３６】
なお上述の実施例においては、３つの復調器７、８及び９を有する受信装置６及び移動端末装置１の場合について述べたが、本発明はこれに限らず、例えば復調器を５つ有する受信装置及び移動端末装置に適用してもよい。すなわちＣＤＭＡ方式に基づく複数の復調器を用いて受信信号を復調する受信装置及び移動端末装置であれば、復調器の数にはかかわらない。
【００３７】
また上述の実施例においては、本発明を受信機能及び送信機能を共に有する移動端末装置１に適用した場合について述べたが、本発明はこれに限らず、受信機能のみを有する移動端末装置に適用してもよい。
【００３８】
さらに上述の実施例においては、復調器７、８及び９の内部にロツク検出器７Ａ、８Ａ及び９Ａを各々設けた受信装置６及び移動端末装置１の場合について述べたが、本発明はこれに限らず、復調器の外部にロツク検出器を有する受信装置及び移動端末装置に適用してもよい。
【００３９】
【発明の効果】
上述のように本発明によれば、割り当てられたタイミングに対してロツク外れを生じた復調器がある場合に、この復調器及びこの復調器以外の復調器で用いていたタイミングをロツク外れを生じた復調器に新たに割り当てるタイミングの割当て対象から除外して、このタイミングの割当て対象から復調可能なパイロツト信号のタイミングを選択してロツク外れを生じた復調器に新たに割り当てるようにしたことにより、再度のロツク外れを防止してパイロツト信号の検出及び復調器へのタイミング割り当ての繰り返し状態に陥ることを回避することができ、かくしてパイロツト信号の受信レベルの低下によるロツク外れを生じ易い環境下での通信品質の劣化を防止し得るパイロツト信号検出方法、パイロツト信号検出装置及び受信装置を実現することができる。
【図面の簡単な説明】
【図１】実施例による移動端末装置の構成を示すブロツク図である。
【図２】受信装置内及びタイミング制御器内の構成を示すブロツク図である。
【図３】実施例によるパイロツト信号のタイミング検出処理手順を説明するために供するフローチヤートである。
【符号の説明】
１……移動端末装置、２……アンテナ、３……アンテナ共用器、４、１３……高周波増幅器、５……直交検波回路、６……受信装置、７、８、９……復調器、７Ａ、８Ａ、９Ａ……ロツク検出器、１０……タイミング制御器、１１……合成器、１２……変調部、１４……タイミング検出器、１５……タイミング選択器、１６……タイミング割当器。
【図１】
0003575649.tif 000002
【図２】
0003575649.tif 000003
【図３】
0003575649.tif 000004